(57)【特許請求の範囲】
【請求項１】
フイルタ−サポ−ト（５），（８）の外側に、濾過の役目をするフイルタ−（６），（９）を取付けて用いる雌側のフイルタ−サポ−ト（８）と雄側のフイツタ−（５）の軸方向の連結に於いて、雌側の一方の外径の端部に斜状の切欠き溝（Ｍ）を設け、これと嵌合連結される雄側の端部の外径の外側に斜状の突起部（Ｔ）を設け、この両者を連結構成するフイルタ−コンプリ−ト（３０）を用いることを特徴とするフイルタ−収納装置。
【請求項２】
フイルタ−サポ−ト（８），（５）の外周部には、流速体を通過させる為の孔（Ｈ）を持ち、雌側の外径に斜め角度の溝幅（Ｋ）を一方、これと組合わせの雄側に突起部（Ｔ）を持ち、この組合わせの軸方向上にスプリング１７にて斜状の切欠き溝（Ｍ）で両者が密着する様にした事を特徴とするフイルタ−コンプリ−ト（３０）を持つ請求項１に記載のフイルタ−収納装置。
【発明の詳細な説明】
【０００１】
【発明の属する技術分野】
本発明は、学校のプ−ル、風呂水等の浄化に用いるフイルタ−６，９のフイルタ−サポ−ト５，８の連結法に関するフイルタ−収納装置の発明である。
【０００２】
【従来の技術】
従来、この種のフイルタ−は、例えば、図１６の風呂或いは図１７のプ−ルに示す回路のフイルタ−収納装置に、水の濾過面積を多くする為に、フイルタ−を直列または並列にして多く用いていたため殆どが特注品で寸法形状も専用のフイルタ−が用いられ、それに伴い専用のフイルタ−収納装置が用いられていた。
【０００３】
【発明が解決しょうとする課題】
使用の目的からフイルタ−の脱着交換が簡単で確実になることが出来れば、補修・保守点検のサ−ビス性が向上し、安い費用となれば、早い周期にての交換が促進される為、衛生的で安心した生活環境が維持できる。しかも、その総合的な労賃等を含めた費用の安い物が、要望されこれを解決する為のものである。
【０００４】
また、従来品は、フイルタ−の形状とサイズなどが特殊の専用のものである為に、常に在庫を持つ必要があったり、特殊であるため必然的に製造費などのコストも高くなり、これに伴いフイルタ−収納装置も特殊な専用の物であるため使用者は、ト−タルコストが高くなり補修・点検などに困惑をしていた。
これらのことを総合的に解消するために提供するものである。
【０００５】
【課題を解決するための手段】
上記目的の為、本発明のフイルタ−コンプリ−ト３０の雌側のフイルタ−サポ−ト８の片方の端部は、一段と外径Ｄ２を大きくし、この外周に切欠く横幅Ｗを設け、これに連なるＬ字の所に斜状の切欠き溝Ｍをつける。又、斜状の切り欠き溝Ｍの奥には軸方向の位置決めを確実にする為のＶ字溝（Ｙ）を設ける。
【０００６】
他方側は、図に示す如く嵌合挿入の為の雄側の形状を呈していて両端部以外は、濾過をする為の通路の孔Ｈがフイルタ−サポ−ト８の外周に多く持っている。
フイルタ−サポ−トの外周には、肝心の濾過材としての紙材使用は固着的、糸材使用時のフイルタ−は、タスキ状に糸巻的に取付けられている。
【０００７】
一方、これに嵌合挿入するフイルタ−サポ−ト５は、両端の形状と嵌合径ｄは同じで外周に雌側の斜状の切欠き溝Ｍの斜め角度βを同一とする突起部Ｔを設けこの雄側の突起部を雌側の斜状の切欠き溝Ｍとを接合させることで、フイルタ−サポ−トの軸方向の位置を固定する。尚、フイルタ−サポ−ト５，８の両方共に外周には、濾過流体の軸方向の流れのために軸方向にリブ（Ｒ）を持っている。
特記なきところは、雌側の仕様と形状も全く同じである。
【０００８】
フイルタ−サポ−ト８及び５の外周に取付けられたフイルタ−９及び６の端部は、図３に示す如く雌側のフイルタ−サポ−ト（８）には全長にわたりフイルタ−（９）が巻かれているが一方、雄側のフイルタ−サポ−ト（５）には連結部側のみ、ある定寸法（Ｌｂ＋Ｔｆ）の範囲はフイルタ−（６）は巻かれていない。フイルタ−コンプリ−ト３０に構成したフイルタ−９及び６の端部は、使用中の流体（又は気体）の流速による巻き糸（又は濾過紙）のほどける（結び目が分かれはなれる）保護のために連結部の位置に弾性を有するフエルト性のアジャスタ−フイルタ−２５を使用しているが、フイルタ−コンプリ−ト３０の全長Ｌを保持するための調整も兼ねている。
【０００９】
フイルタ−コンプリ−ト３０を直列又は、並列に使用する時、収納装置の取付寸法に対し、各フイルタ−コンプリ−ト間の全長Ｌのバラツキを補正をする時は端部に設けた斜状の切欠き溝Ｍの嵌合の連結部の調整を軸芯方向にズラス（移動）することでフイルタ−コンプリ−ト３０の全長のふぞろいを無くすことが出来る。その為に諸々の製品精度の管理を厳しくする必要はないので部品をコスト的に安く製作が可能となる。
【００１０】
【発明の実施の形態】
発明の実施の形態について図面を参照して説明する。
第３図は、本発明のフイルタ−コンプリ−ト３０を示す。
フイルタ−コンプリ−ト３０は、フイルタ−サブコンプリ−ト１０とフイルタ−サブコンプリ−ト２０とアジャスタ−フイルタ−２５とから構成されている。
図１，図１４は、これをフイルタ−収納装置に使用した時の実施例を示す。
【００１１】
フイルタ−サブコンプリ−ト１０は、フイルタ−サポ−ト５の外周に糸材のフイルタ−６が巻きついている。
【００１２】
フイルタ−サポ−ト８は、図５に示す如く中空パイプの外周に多くの孔Ｈを持ち、片端側は雌側嵌合の役目をする為の段付き中空の嵌合径Ｄにて斜状の切欠き溝Ｍを持ちこれに連なる斜状の溝幅Ｋを複ケ数持っている。他端側はフイルタ−ガイド１６を支え受ける為に内径ｄ１はストレ−トになり、中空パイプの外周には軸方向にリブ（Ｒ）を設けているので樹脂材の流動性良好で成形がし易い。
尚、図４（ｂ）のＶ字溝（Ｙ）は、斜状の切欠き溝Ｍの終端に位置している。
【００１３】
図１０に示す挿入結合の雄側に相当するフイルタ−サポ−ト５は、中空径の外径部にフイルタ−サポ−ト８と接合する斜状の突起部Ｔが片側で４ケ（両側で合計８ケ）設置され斜状の突起部（Ｔ）と複数の斜状の切欠き溝（Ｍ）は、両方共樹脂材使用で同一寸法のピッチにて嵌合する設計・製作（成形）がされている。
尚、この形状は両端部が対称的に形成されている。
【００１４】
フイルタ−サポ−トの外径部に巻き付けられるフイルタ−６，９の材質には、綿糸，アクリル材繊維糸、不織布などのものが使われる。
尚、オイルなどの濾過時には紙質の成形ジャバラ式フイルタ−のものがフイルタ−サポ−トの外径に嵌合挿入して使用されることもある。
【００１５】
図１は図３の本発明のフイルタ−コンプリ−ト３０をフイルタ−収納装置５３に使用した直列型使用の実施例１であり、図２（フイルタ−収納装置外観図）の縦断面図Ａ−Ａを示す。フイルタ−ケ−ス７内でフイルタ−コンプリ−ト３０の両側でフイルタ−ガイド４，１６を使い軸方向にスプリング１７を使っている。
この使用例は、浄化容量の少ない時のものであって簡単に濾過体などの容器に取付けが出来る様に、フイルタ−ケ−ス７にブラケット１２が取り付いている。
例えば、液体又は気体の浄化体は入口側の「イからロ〜ハ」の矢印の経路にて出口側に流出する。図２は図１のフイルタ−収納装置の外観図（イ視）を示す。
【００１６】
図１４は、図３の本発明のフイルタ−コンプリ−ト３０をフイルタ−収納装置８０に使用した並列型の実施例２であり、図１５（フイルタ−収納装置外観図）の縦断面図Ｆ−Ｆを示す。
この例は、浄化容量が多量の時のものであり、簡単にフイルタ−収納装置からフイルタ−コンプリ−ト３０の脱着交換が、出来る様にしたものである。
液体又は気体の浄化体は、入口側のイからロ〜ハの矢印の経路にて出口側に流出する。  尚、図１５は、図１４のフイルタ−収納装置外観図（ロ視）を示す。
【００１７】
図１６は、従来の家庭用等に使用の風呂用水循環式浄化装置を模式図で示す。本発明をこの模式図で示すと風呂容器５１に浄化装置５５が装着され、その装置の中に並列型のフイルタ−収納装置５３をセットした適用例となる。（適用例１）
【００１８】
図１７は、従来の学校などで使用のプ−ル用水７１の浄化システムの模式図である。本発明を模式図で示すとフイルタ−収納装置８０の中にあるフイルタ−は、大容量の用水の為に多段の並列型で使用した適用例となる。（適用例２）
【００１９】
【発明の効果】
本発明は、上述のとおり構成されているので、次に記載する効果を奏する。
【００２０】
請求項１および請求項２において；
フイルタ−サポ−ト５とフイルタ−サポ−ト８との軸方向の連結時には、雌側の外径の端部の斜状の切り欠き溝Ｍにこれと接合の雄側の端部の外径の斜状の突起部Ｔのものとの組合せでフイルタ−サブコンプリ−ト１０とフイルタ−サブコンプリ−ト２０との軸方向の嵌合で連結のフイルタ−コンプリ−ト３０に於いて；
イ）規定の全長Ｌは、斜状の切欠き溝と突起部の嵌合の変更で容易。
（軸方向の位置決めは、斜状の切欠き溝Ｍの接合部をズラス事で対応可）
ロ）軸方向の斜状の切欠き溝の接合部ガタは、スプリング１７で矯正される。
ハ）フイルタ−コンプリ−ト３０のユニット化が容易のため（保守・整備等の綜合的見地から）ト−タルコストダウンを計る効果を生む。
【図面の簡単な説明】
【図１】  本発明の図２のフイルタ−収納装置（実施例１）の縦断面図Ａ−Ａである。
【図２】  図１のフイルタ−収納装置の外観図（イ視）である。
【図３】  本発明のフイルタ−コンプリ−ト３０の半断面図である。
【図４】  図３のフイルタ−サポ−ト５，８の連結部の状態を示す（外観）要部説明図  （ａ）実施例１；突起部Ｔと溝の形状  （ｂ）実施例２；突起部ＸとＶ字溝（Ｙ）
【図５】  本発明の雌側のフイルタ−サポ−ト８の（要部）外観図である。
【図６】  図５のフイルタ−サポ−トの切断部Ｂ−Ｂの端面図である。
【図７】  図５のフイルタ−サポ−ト右側面図である。
【図８】  図５のフイルタ−サポ−トの左側面図である。
【図９】  図５のフイルタ−サポ−トの横断面図Ｃ−Ｃである。
【図１０】  本発明の雄側のフイルタ−サポ−タ−５の（要部）外観図である。
【図１１】  図１０のフイルタ−サポ−トの切断部Ｄ−Ｄの端面図である。
【図１２】  図１０のフイルタ−サポ−ト右側面図である。
【図１３】  図１０のフイルタ−サポ−ト横断面図Ｅ−Ｅである。
【図１４】  本発明の図１５のフイルタ−収納装置（実施例２）の縦断面図Ｆ−Ｆである。
【図１５】  図１４のフイルタ−収納装置（実施例２）の外観図（ロ視）である。
【図１６】  従来の風呂用水循環式浄化装置に係わる適用例である。
【図１７】  従来のプ−ル用水の浄化システムに係わる適用例である。
【符号の説明】
１、２２    ホ−ス          ２、１８    サイド−カバ−
３、１９、２１、３２    オ−リング
４、１６    フイルタ−ガイド
５    （雄側の）フイルタ−サポ−ト
８    （雌側の）フイルタ−サポ−ト
６、９    フイルタ−            ７、１１    フイルタ−ケ−ス
１０、２０    フイルタ−サブコンプリ−ト          １２    ブラケット
１３、２３、、４１    ボルト    １４    ナット    １５    パッキン
１７    スプリング              ２５    アジャスタ−フイルタ−
３０    フイルタ−コンプリ−ト
３１、３６、３７    ホ−スジョイント
３３、３５    サイドベ−スカバ−      ３４    盲栓
３９    ガイド              ４０    デイスタンスピ−ス
Ｍ    斜状の切欠き溝
Ｔ、Ｘ    突起部      Ｋ    溝幅      ＹＶ字溝
Ｗ    切欠き横幅      ｋ    突起部幅    Ｈ    孔Ｒリブ
ｗ    突起横幅        Ｄ、ｄ    挿入の嵌合径    β    斜め角度
Ｌ    フイルタ−コンプリ−トの全長
５０    風呂システム              ７０    プ−ルの浄化システム
５１    風呂容器                  ７１    プ−ル用水
５２    風呂水                    ７２    取水配管
５３    フイルタ−収納装置        ７３、８３    仕切弁
５４    取付台                    ７４、８２    主配管
５５    浄化装置                  ７５    取水ポンプ
５６    逆止弁                    ７６    塩素吸着器
５７    吸水管                    ７７    塩素減菌器
５８    吸水接続管路              ７８、８１    パイパス配管
５９    駆動モ−タ−              ７９    逆止弁
６０    浄化装置本体              ８０    フイルタ−収納装置
６１    循環ポンプ                ８４    配管
６２    吐水接続路          順序  イ、ロ、ハ    流体の流れの順序
６３    吐水管
【図１】
0003812180.tif 000002
【図２】
0003812180.tif 000003
【図３】
0003812180.tif 000004
【図４】
0003812180.tif 000005
【図５】
0003812180.tif 000006
【図６】
0003812180.tif 000007
【図７】
0003812180.tif 000008
【図８】
0003812180.tif 000009
【図９】
0003812180.tif 000010
【図１０】
0003812180.tif 000011
【図１１】
0003812180.tif 000012
【図１２】
0003812180.tif 000013
【図１３】
0003812180.tif 000014
【図１４】
0003812180.tif 000015
【図１５】
0003812180.tif 000016
【図１６】
0003812180.tif 000017
【図１７】
0003812180.tif 000018